(57)【要約】【課題】娯楽性に優れているとともに、容易に模様の加工を施すことが可能な模様付きグラスを提供する。【解決手段】内表面１０Ａにサンドブラスト加工により模様１２が施されていることを特徴とする模様付きグラス１０である。外表面１０Ｂに前記内表面１０Ａに施された模様１２と関連する模様１４が施されており、前記内表面１０Ａに施された模様１２は、グラス１０内に液体１６が充填された際に外側からは認識できないように調整されている。【選択図】図２
0003130981.tif 000002
【実用新案登録請求の範囲】
【請求項１】
内表面にサンドブラスト加工により模様が施されたことを特徴とする模様付きグラス。
【請求項２】
外表面に、前記内表面に施された模様と関連する模様が施されていることを特徴とする請求項１記載の模様付きグラス。
【請求項３】
前記外表面に施された模様は、ガラスエナメル焼付け加工によって施されていることを特徴とする請求項２記載の模様付きグラス。
【請求項４】
前記内表面に施された模様は、グラス内に液体が充填された際に外側からは認識できないか、あるいはほとんど認識できない程度に薄くなるように調整されていることを特徴とする請求項１乃至３記載の模様付きグラス。
【考案の詳細な説明】
【技術分野】
【０００１】
本考案は、充填された液体の量に応じて模様が変化する模様付きグラスに関する。
【背景技術】
【０００２】
従来から、飲料を食する際にその飲料が注がれるものとして、ガラス製のコップであるグラスが利用されている。このグラスには、様々な形状、様々な模様が施されており、娯楽性を高めるために、模様の施し方にも様々な工夫がなされている。例えば、ガラスの外表面に濡れ性の異なる膜層を部分的に設け、膜層を設けた部分と膜層を設けない部分とで絵柄などの模様を構成することによって、グラスに冷たい飲料が注がれると模様が白く浮き出てくるように構成されたグラスがある（特許文献１）。
【０００３】
【特許文献１】特開２０００−５１０４４号公報
【考案の開示】
【考案が解決しようとする課題】
【０００４】
この特許文献１に開示されているものは、娯楽性に優れているものの、濡れ性の異なる複数の膜層を設けるなど加工処理が煩雑であるという問題がある。
【０００５】
そこで、本考案は、娯楽性に優れているとともに、容易に模様の加工を施すことが可能な模様付きグラスを提供することを目的とする。
【課題を解決するための手段】
【０００６】
以上の目的を達成するため、本考案は、内表面にサンドブラスト加工により模様が施されていることを特徴とする模様付きグラスである。
【０００７】
本考案に係る模様付きグラスは、内表面にサンドブラスト加工による模様が施されているので、グラス内に飲料を注ぐと、サンドブラスト加工による模様が濡れて、外側からは認識できないか、あるいはほとんど認識できない程度に薄くなる。このグラスに飲料を注ぐと内面の模様が認識できないか、あるいはほとんど認識できなくなるので、意外性が生じる。また、グラスに注がれた飲料が飲まれて少なくなってくると、徐々に模様が浮き出てくることとなる。よって、娯楽性に優れている。また、サンドブラスト加工によって模様が施されるので、容易に模様の加工を行うことができる。
【０００８】
本考案に係る模様付きグラスにおいて、外表面に前記内表面に施された模様と関連する模様が施されていることが好ましく、このように内表面の模様を外表面と関連させることによって、娯楽性を向上させることができる。また、内表面の模様と外表面の模様とが関連した一対の図柄となり、物語性のある絵とすることもできる。
【０００９】
本考案に係る模様付きグラスにおける外表面の模様は、ガラスエナメルを用いて印刷焼付けをすることにより施されることが好ましい。外表面の模様もサンドブラスト加工として、内表面と外表面に模様を加工した場合、飲料を入れる際に外表面も濡れることで、内表面と外表面の模様がともに認識できないか、あるいはほとんど認識できなくなってしまう。ここで外表面の模様をガラスエナメル焼きつけ加工とすることにより、外表面の模様が消えることはない。また、エナメルに色彩をつけてコントラストを強調することができ、視覚効果をあげることもできる。
【００１０】
また、本考案に係る模様付きグラスにおいて、前記内表面に施された模様は、グラス内に液体が充填された際に外側からは認識できないように調整されていることが好ましく、このような調整は、サンドブラスト加工を粗く施すことによって行うことができる。
【００１１】
本考案に係る模様付きグラスにおいて、サンドブラスト加工は、既知の方法によって施すことができる。例えば、模様を施す部分を薄くするか、あるいは切り抜いた状態で、樹脂でグラスの内外表面全域をコーティングし、高圧エアーによってガラスビーズなどの微粒子をグラスの内外表面全域を吹き付けることによって行うことができる。
【考案の効果】
【００１２】
以上のように、本考案に係るグラスによれば、娯楽性に優れているとともに、容易に模様の加工を施すことが可能な模様付きグラスを提供することができる。
【考案を実施するための最良の形態】
【００１３】
次に、本考案に係る模様付きグラスの実施例について図面に基づいて説明する。図１は、本実施例に係る模様付きグラスの正面斜視図である。本実施例に係る模様付きグラス１０の内表面１０Ａに内側模様１２は既知の方法のサンドブラスト加工によって施されている。また、その外表面１０Ｂに外側模様１４は既知の方法のガラスエナメル焼きつけ加工によって施されている。本実施例に係る模様付きグラスにおいて、これら内側模様１２と外側模様１４は、関連している。すなわち、内側模様１２として、男性が描写されており、外側模様１４として、その男性と向かい合った女性が描写されている。また、内側模様１２は、飲料がグラス１０に注がれると、外側から認識することができないか、あるいは薄くほとんど認識できないように、サンドブラスト加工を粗くすることによって調整されている。
【００１４】
次に、本実施例に係る模様付きグラスの動作を図２に基づいて説明する。先ず、図２（ａ）に示すように、内側模様１２が隠れる程度、飲料１６がグラス１０内に注がれると、内側模様１２は、外側からは、認識できなくなる。そして、グラス１０内の飲料１６が減ってくると、図２（ｂ）に示すように内側模様１２の上方部分が徐々に外側から認識できるようになってくる。最後に、飲料１６がなくなると、図２（ｃ）に示すように内側模様１２が外側から完全に認識できるようになる。
【図面の簡単な説明】
【００１５】
【図１】本考案に係る模様付きグラスの実施例の正面斜視図である。
【図２】本実施例に係る模様付きグラスの動作を示す正面斜視図である。
【符号の説明】
【００１６】
１０   模様付きグラス
１２   内側模様
１４   外側模様
１６   飲料
【図１】
0003130981.tif 000003
【図２】
0003130981.tif 000004
【手続補正書】
【提出日】平成18年12月19日(2006.12.19)
【手続補正１】
【補正対象書類名】実用新案登録請求の範囲
【補正対象項目名】請求項４
【補正方法】変更
【補正の内容】
【請求項４】
前記内表面に施された模様は、グラス内に液体が充填された際に外側からは認識できないか、あるいはほとんど認識できない程度に薄くなるように調整されていることを特徴とする請求項１〜３のいずれか１項に記載の模様付きグラス。